(57)【要約】【課題】オフセット印刷による印刷物の色調を、特定の色基準の色調に近似させるための刷版カーブ作成装置、方法及びプログラムを提供する。【解決手段】刷版カーブ作成装置１は、印刷物３１の色調データである印刷データ２３ａに対して刷版カーブ２５ａを適用後の色調データである対象データと、色基準の色調データである色基準データ２２ａとが近似する刷版カーブ２５ａを算出する刷版カーブ算出部１５と、刷版カーブ算出部１５により算出された刷版カーブ２５ａを刷版カーブ記憶部２５に記憶させる記憶処理部１６とを備える。【選択図】図１
2018093269.tif 000002
【特許請求の範囲】
【請求項１】
印刷物の色調データである印刷データに対して刷版カーブを適用後の色調データである対象データと、色基準の色調データである色基準データとが近似する前記刷版カーブを算出する算出手段と、
前記算出手段により算出された前記刷版カーブを記憶部に記憶させる記憶制御手段と、
を備える刷版カーブ作成装置。
【請求項２】
請求項１に記載の刷版カーブ作成装置において、
前記色調データは、ＣＭＹＫ値をＬａｂ値で表したデータであり、
前記刷版カーブは、ＣＭＹＫ値に対する変化量を示すパラメータデータであること、
を特徴とする刷版カーブ作成装置。
【請求項３】
請求項１又は請求項２に記載の刷版カーブ作成装置において、
色調の重要度を示す重み付けデータを受け付ける重み付け受付手段を備え、
前記算出手段は、前記色基準データと前記対象データとの差に、前記重み付け受付手段が受け付けた前記重み付けデータを乗じた評価値が最小になる前記刷版カーブを算出すること、
を特徴とする刷版カーブ作成装置。
【請求項４】
請求項１から請求項３までのいずれかに記載の刷版カーブ作成装置において、
前記印刷物を測色して生成された色調データである測色色調データに対して補間処理を行って、前記印刷データを生成する補間処理手段を備えること、
を特徴とする刷版カーブ作成装置。
【請求項５】
刷版カーブ作成装置によって刷版カーブを作成する方法であって、
印刷データ受付手段が、印刷物の色調データである印刷データを受け付けるステップと、
色基準データ受付手段が、色基準の色調データである色基準データを受け付けるステップと、
算出手段が、前記印刷データに対して刷版カーブを適用後の色調データである対象データと、前記色基準データとが近似する前記刷版カーブを算出するステップと、
記憶制御手段が、前記算出手段により算出された前記刷版カーブを記憶部に記憶させるステップと、
を含む方法。
【請求項６】
請求項１から請求項４までのいずれかに記載の刷版カーブ作成装置としてコンピュータを機能させるためのプログラム。
【発明の詳細な説明】
【技術分野】
【０００１】
本発明は、オフセット印刷における刷版カーブを求める刷版カーブ作成装置、方法及びプログラムに関する。
【背景技術】
【０００２】
従来、出版印刷や商業印刷の分野では、オフセット印刷方式の印刷機が用いられる。そして、オフセット印刷での色調調整の手段の１つとして、刷版カーブを適用している。刷版カーブとは、オフセット印刷用の版を作るための元データである製版データから版を製作する刷版工程において、製版データに対して適用される１次元ルックアップテーブルをいう。
【０００３】
刷版カーブは、製版データにおいて指定されたＣＭＹＫ値を変化させる色調補正の作用を持つ。そして、刷版カーブを用いることで、ドットゲインを適正にして、印刷機や印刷条件による印刷物の色調の変動を抑制することができる。ここで、ドットゲインは、１次色（ＣＭＹＫのいずれかのみが使用される色）の部分において、製版データの階調値と、実際に印刷された印刷物の階調の測定値（網点面積率）との差を表すものであり。そして、Ｊａｐａｎ  Ｃｏｌｏｒ認証制度に基づく基準では、５０％網点部のドットゲインがＣ，Ｍ，Ｙ，Ｋともに１４％としている。また、印刷条件としては、印刷機の型式、インキ、用紙、刷版時のスクリーン線数等がある。
【０００４】
ところで、１次色のドットゲイン量を調整する刷版カーブの作成方法が提案されている（例えば、特許文献１）。
【先行技術文献】
【特許文献】
【０００５】
【特許文献１】特開２０００−３４１５２５号公報
【発明の概要】
【発明が解決しようとする課題】
【０００６】
近年、印刷物に対する要求品質がより高くなり、色調の正確さに対する要求度も高まっている。また、Ｊａｐａｎ  Ｃｏｌｏｒ認証制度に基づくものに限らず、ＪＭＰＡ（雑誌広告基準）カラー等の様々な色基準に合わせて制作された製版データが入稿される場合があり、要求される色調の実現が難しくなってきている。
特に、印刷物においてより重要となる２次色、３次色、４次色（ＣＭＹＫのうち２種類以上を重ね合わせて再現される色）の色調の再現性を考慮する必要がある。
【０００７】
そこで、本発明は、オフセット印刷による印刷物の色調を、特定の色基準の色調に近似させるための刷版カーブ作成装置、方法及びプログラムを提供することを目的とする。
【課題を解決するための手段】
【０００８】
本発明は、以下のような解決手段により、前記課題を解決する。
第１の発明は、印刷物の色調データである印刷データに対して刷版カーブを適用後の色調データである対象データと、色基準の色調データである色基準データとが近似する前記刷版カーブを算出する算出手段と、前記算出手段により算出された前記刷版カーブを記憶部に記憶させる記憶制御手段と、を備える刷版カーブ作成装置である。
第２の発明は、第１の発明の刷版カーブ作成装置において、前記色調データは、ＣＭＹＫ値をＬａｂ値で表したデータであり、前記刷版カーブは、ＣＭＹＫ値に対する変化量を示すパラメータデータであること、を特徴とする刷版カーブ作成装置である。
第３の発明は、第１の発明又は第２の発明の刷版カーブ作成装置において、色調の重要度を示す重み付けデータを受け付ける重み付け受付手段を備え、前記算出手段は、前記色基準データと前記対象データとの差に、前記重み付け受付手段が受け付けた前記重み付けデータを乗じた評価値が最小になる前記刷版カーブを算出すること、を特徴とする刷版カーブ作成装置である。
第４の発明は、第１の発明から第３の発明までのいずれかの刷版カーブ作成装置において、前記印刷物を測色して生成された色調データである測色色調データに対して補間処理を行って、前記印刷データを生成する補間処理手段を備えること、を特徴とする刷版カーブ作成装置である。
第５の発明は、刷版カーブ作成装置によって刷版カーブを作成する方法であって、印刷データ受付手段が、印刷物の色調データである印刷データを受け付けるステップと、色基準データ受付手段が、色基準の色調データである色基準データを受け付けるステップと、算出手段が、前記印刷データに対して刷版カーブを適用後の色調データである対象データと、前記色基準データとが近似する前記刷版カーブを算出するステップと、記憶制御手段が、前記算出手段により算出された前記刷版カーブを記憶部に記憶させるステップと、を含む方法である。
第６の発明は、第１の発明から第４の発明までのいずれかの刷版カーブ作成装置としてコンピュータを機能させるためのプログラムである。
【発明の効果】
【０００９】
本発明によれば、オフセット印刷による印刷物の色調を、特定の色基準の色調に近似させるための刷版カーブ作成装置、方法及びプログラムを提供することができる。
【図面の簡単な説明】
【００１０】
【図１】本実施形態に係る刷版カーブ作成装置の機能ブロック図である。
【図２】本実施形態に係る色基準データを説明するための図である。
【図３】本実施形態に係る印刷データを説明するための図である。
【図４】本実施形態に係る重み付けデータの例を示す図である。
【図５】本実施形態に係る刷版カーブ作成装置での刷版カーブ作成処理を示すフローチャートである。
【図６】本実施形態に係る刷版カーブ作成装置での算出処理内容を説明するための図である。
【図７】本実施形態に係る刷版カーブ作成装置で作成された刷版カーブの例を示す図である。
【発明を実施するための形態】
【００１１】
以下、本発明を実施するための形態について、図を参照しながら説明する。なお、これは、あくまでも一例であって、本発明の技術的範囲はこれに限られるものではない。
（実施形態）
＜刷版カーブ作成装置１＞
図１は、本実施形態に係る刷版カーブ作成装置１の機能ブロック図である。
図２は、本実施形態に係る色基準データ２２ａを説明するための図である。
図３は、本実施形態に係る印刷データ２３ａを説明するための図である。
図４は、本実施形態に係る重み付けデータ２４ａの例を示す図である。
【００１２】
図１に示す刷版カーブ作成装置１は、印刷物の色調データである印刷データと、色基準の色調データである色基準データとを用いて、刷版カーブを作成する装置である。具体的には、刷版カーブ作成装置１は、印刷データに刷版カーブを適用したものが、色基準データに近似するものとなる、刷版カーブを算出する。
この例では、色基準が示された基準印刷物を顧客から受領し、受領した基準印刷物に近似した印刷物を、対象の印刷機によって製作するための刷版カーブを算出するものとして説明する。そして、算出した刷版カーブを、この印刷機で印刷する際に用いることで、印刷機から出力される印刷物は、基準印刷物に近似した色調にすることができる。
【００１３】
刷版カーブ作成装置１は、例えば、サーバを用いて実現できる。刷版カーブ作成装置１は、その他、パーソナルコンピュータ（ＰＣ）等であってもよい。
刷版カーブ作成装置１は、制御部１０と、記憶部２０と、入力部２７と、出力部２８と、通信インタフェース部２９とを備える。
制御部１０は、刷版カーブ作成装置１の全体を制御する中央処理装置（ＣＰＵ）である。制御部１０は、記憶部２０に記憶されているオペレーティングシステム（ＯＳ）やアプリケーションプログラムを適宜読み出して実行することにより、上述したハードウェアと協働し、各種機能を実行する。
【００１４】
制御部１０は、色基準データ受付部１１（色基準データ受付手段）と、印刷データ受付部１２（印刷データ受付手段）と、補間処理部１３（補間処理手段）と、重み付けデータ受付部１４（重み付け受付手段）と、刷版カーブ算出部１５（算出手段）と、記憶処理部１６（記憶制御手段）とを備える。
色基準データ受付部１１は、色基準データ２２ａを受け付ける。
ここで、色基準データ２２ａの生成について、図２に基づき説明する。
図２（Ａ）は、基準印刷物３０の例を示す。基準印刷物３０は、例えば、顧客から受領したカラーチャートである。カラーチャートとしては、例えば、ＩＴ８／４や、ＥＣＩ２００２等のチャートがある。
また、この基準印刷物３０は、例えば、Ｊａｐａｎ  Ｃｏｌｏｒ認証制度に基づくものやＪＭＰＡ（雑誌広告基準）カラー等の色基準を示す。なお、色基準は、業界等の様々な基準のいずれであってもよい。また、色基準は、１次色ではなく、２次色、３次色、４次色を用いたものである。ここで、１次色とは、ＣＭＹＫ値のうちのいずれか１つの値が変化し、残りは０％のものをいう。
【００１５】
図２（Ｂ）は、基準印刷物３０を図示しない測色装置によって測色した結果、作成された色基準データ２２ａの例を示す。測色装置では、基準印刷物３０の各カラーチャートの色を測定し、ＣＩＥ  Ｌａｂ等の測色値を得る。
色基準データ２２ａは、色基準の色調データであり、例えば、ＣＭＹＫ値をＬａｂ値に変換するＣＭＹＫ−Ｌａｂ変換テーブルとして表すことができる。
ここで、ＣＭＹＫ値は、Ｃ（シアン）、Ｍ（マゼンタ）、Ｙ（イエロー）、Ｋ（ブラック）の網点面積率である。印刷機では、ＣＭＹＫのデータが用いられる。Ｌａｂ空間は、人間の視覚を近似するよう設計されているため、Ｌａｂ値は、人間の目で見える色として記述したものである。ＣＩＥ  Ｌａｂによる測色値は、Ｌ＊，ａ＊，ｂ＊として表すことができる。Ｌ＊は、明度を表し、０に近いと黒であり、１００に近いと白である。ａ＊は、緑〜赤色を表し、マイナス値は緑、プラス値は赤である。ｂ＊は、青〜黄を表し、マイナス値は青、プラス値は黄である。ａ＊とｂ＊とは、数値が大きいほど彩度が高いことを示す。
【００１６】
なお、顧客から基準印刷物３０を受領する代わりに、ＩＣＣ（Ｉｎｔｅｒｎａｔｉｏｎａｌ  Ｃｏｌｏｒ  Ｃｏｎｓｏｒｔｉｕｍ）プロファイルとして提供される色基準データ２２ａを直接受領してもよい。
【００１７】
図１に戻り、印刷データ受付部１２は、印刷データ２３ａ（測色色調データ）を受け付ける。
ここで、印刷データ２３ａの生成について、図３に基づき説明する。
図３（Ａ）は、印刷物３１の例を示す。印刷物３１は、図示しない対象の印刷機で印刷したカラーパッチである。ここで、印刷物３１の色調は、印刷機の型式、インキ、用紙、刷版時のスクリーン線数等の印刷条件により異なる。そのため、印刷物３１は、製版データを印刷する条件と同じ条件で印刷されたものが望ましい。
そして、図示しない測色装置により、印刷物３１の各カラーパッチの印刷再現色を測定し、ＣＩＥ  Ｌａｂ等の測色値を得る。図３（Ｂ）は、印刷物３１を測色装置によって測色した結果、作成された印刷データ２３ａの例を示す。この印刷データ２３ａも、色基準データ２２ａと同様に、例えば、ＣＭＹＫ値をＬａｂ値に変換するＣＭＹＫ−Ｌａｂ変換テーブルとして表すことができる。
【００１８】
図１に戻り、補間処理部１３は、色基準データ２２ａ及び印刷データ２３ａに対して補間処理を行う。
補間処理部１３は、色基準データ２２ａにないＣＭＹＫ値に対するＬａｂ値を、補間計算により算出する。そして、補間処理部１３は、算出結果を、色基準データ２２ａに含める。
また、補間処理部１３は、印刷データ２３ａにないＣＭＹＫ値に対するＬａｂ値を、補間計算により算出する。そして、補間処理部１３は、算出結果を、印刷データ２３ａに含める。
補間計算は、例えば、線形補間を用いて行う。
【００１９】
重み付けデータ受付部１４は、ＣＭＹＫ値に重要度ｗを対応付けた重み付けデータ２４ａを受け付ける。図４は、重み付けデータ２４ａの例を示す。重み付けデータ２４ａは、例えば、この刷版カーブ作成装置１のオペレータが、顧客からの依頼によって作成したものである。重み付けデータ２４ａは、顧客から色調に関するクレームを受けやすい色を、オペレータが重要視して合せるためのものである。また、重み付けデータ２４ａは、図示しない重み付け登録画面からオペレータが重み付けを登録することで作成したものであってもよい。
重み付けデータ２４ａは、正確さがより必要な色の重要度ｗを、大きな値にする。図４に示す重み付けデータ２４ａの例では、重要度ｗは、１から１０までの整数である。重要度ｗは、個々の印刷物３１に対して変わるものであって、例えば、自動車メーカでは、赤色等を重視し、化粧品メーカでは、肌色等を重視する等である。
【００２０】
図１に戻り、刷版カーブ算出部１５は、印刷データ２３ａに対して刷版カーブを適用後の対象データと、色基準データ２２ａとが近似する刷版カーブを算出する。ここで、刷版カーブは、ＣＭＹＫ値に対する変化量を示すパラメータデータである。
刷版カーブ算出部１５は、対象データと、色基準データ２２ａとの色差を算出する。そして、刷版カーブ算出部１５は、色差に重要度ｗを乗じた評価値が最小になる刷版カーブを、シミュレートすることで算出する。
記憶処理部１６は、算出した刷版カーブを、刷版カーブ記憶部２５に記憶させる。
なお、各処理の詳細については、後述する。
【００２１】
記憶部２０は、制御部１０が各種の処理を実行するために必要なプログラム、データ等を記憶するためのハードディスク、半導体メモリ素子等の記憶領域である。
記憶部２０は、プログラム記憶部２１と、色基準データ記憶部２２と、印刷データ記憶部２３と、重み付けデータ記憶部２４と、刷版カーブ記憶部２５とを備える。
プログラム記憶部２１は、各種プログラムを記憶する記憶領域である。プログラム記憶部２１は、刷版カーブ作成プログラム２１ａを記憶している。刷版カーブ作成プログラム２１ａは、刷版カーブ作成装置１の制御部１０が実行する各種機能を行うためのプログラムである。
【００２２】
色基準データ記憶部２２は、色基準データ２２ａを記憶する記憶領域である。
印刷データ記憶部２３は、印刷データ２３ａを記憶する記憶領域である。
重み付けデータ記憶部２４は、重み付けデータ２４ａを記憶する記憶領域である。
刷版カーブ記憶部２５は、算出した刷版カーブを記憶する記憶領域である。
入力部２７は、例えば、キーボードやマウス等の入力装置である。
出力部２８は、例えば、ＬＣＤ（Ｌｉｑｕｉｄ  Ｃｒｙｓｔａｌ  Ｄｉｓｐｌａｙ）等の表示装置である。
通信インタフェース部２９は、インターネット回線等の通信ネットワークを介して、例えば、測色装置等との間の通信を行うためのインタフェースである。
【００２３】
＜刷版カーブ作成装置１の処理＞
次に、刷版カーブ作成装置１の処理について説明する。
図５は、本実施形態に係る刷版カーブ作成装置１での刷版カーブ作成処理を示すフローチャートである。
図６は、本実施形態に係る刷版カーブ作成装置１での算出処理内容を説明するための図である。
図７は、本実施形態に係る刷版カーブ作成装置１で作成された刷版カーブの例を示す図である。
【００２４】
図５のステップＳ（以下、「Ｓ」という。）１０において、刷版カーブ作成装置１の制御部１０（色基準データ受付部１１）は、例えば、通信インタフェース部２９を介して図示しない測色装置から色基準データ２２ａを受け付ける。そして、制御部１０は、受け付けた色基準データ２２ａを、色基準データ記憶部２２に記憶させる。
Ｓ１１において、制御部１０（補間処理部１３）は、色基準データ２２ａにないＣＭＹＫ値に対するＬａｂ値を、補間計算により算出する。そして、制御部１０は、算出したＣＭＹＫ値に対するＬａｂ値を、色基準データ２２ａに加えて、色基準データ２２ａを更新する。
補間処理では、例えば、ＣＭＹＫ値のそれぞれ（Ｃ，Ｍ，Ｙ，Ｋ）の網点面積率が、０％から１０％単位で１００％までとし、色基準データ２２ａにないＣＭＹＫ値に対するＬａｂ値を、線形補間を用いて算出する。この補間処理によって、Ｃ，Ｍ，Ｙ，Ｋのそれぞれが０％から１００％まで、１０％単位としたときの１１パターンを、各値（ＣＭＹＫ）である４つに対して計算する。その結果、色基準データ２２ａは、全部で、１１の４乗である１４６４１パターン（色）のＣＭＹＫ値に対するＬａｂ値を含むことになる。
【００２５】
Ｓ１２において、制御部１０（印刷データ受付部１２）は、Ｓ１０での処理と同様に、通信インタフェース部２９を介して図示しない測色装置から印刷データ２３ａを受け付ける。そして、制御部１０は、受け付けた印刷データ２３ａを、印刷データ記憶部２３に記憶させる。
Ｓ１３において、制御部１０（補間処理部１３）は、印刷データ２３ａにないＣＭＹＫ値に対するＬａｂ値を、補間計算により算出する。そして、算出したＣＭＹＫ値に対するＬａｂ値を、印刷データ２３ａに加えて、印刷データ２３ａを更新する。制御部１０は、Ｓ１１と同様の補間処理を行うことで、印刷データ２３ａは、１４６４１パターンのＣＭＹＫ値に対するＬａｂ値を含む。
【００２６】
Ｓ１４において、制御部１０（重み付けデータ受付部１４）は、重み付けデータ２４ａを受け付ける。重み付けデータ２４ａは、重み付けをしたいＣＭＹＫ値に対する重要度ｗを、例えば、１〜１０までの整数で表す。なお、重み付けデータ２４ａは、全てのＣＭＹＫ値についてのデータであってもよいし、重み付けをしたいＣＭＹＫ値についてのデータのみを有してもよい。
【００２７】
Ｓ１５において、制御部１０（刷版カーブ算出部１５）は、算出処理を行う。算出処理は、対象の印刷機において基準の色調を実現するための刷版カーブを作成するための処理である。
ここで、算出処理で用いる印刷データ２３ａを、以下のように表す。
【数１】
2018093269.tif 000003
また、算出処理で用いる色基準データ２２ａを、以下のように表す。
【数２】
2018093269.tif 000004
そして、刷版カーブを、次のように表すとする。
【数３】
2018093269.tif 000005
【００２８】
そうすると、評価関数ｅｆを最小化する刷版カーブは、以下の式により算出できる。
【数４】
2018093269.tif 000006
【００２９】
この評価関数ｅｆを算出する式は、例えば、印刷データ２３ａのうちＣＭＹＫ値により表される値ごとに刷版カーブを適用した対象データと、各値の色基準データ２２ａとの色差（ΔＥ）の加重平均値に、重要度ｗを乗じたものである。この評価関数ｅｆが最小になる刷版カーブを印刷データ２３ａに適用したものと、色基準データ２２ａとは、色調が近似したものになる。よって、この評価関数ｅｆが最小になる刷版カーブを算出すればよい。そして、評価関数ｅｆが最小になる刷版カーブを、例えば、共役勾配法を用いて算出すればよい。
【００３０】
なお、刷版カーブの算出は、上述の式によるもの以外の方法を採用してもよい。
例えば、値が異なる複数の刷版カーブを用意しておき、その中から印刷データ２３ａに刷版カーブを適用した対象データと、色基準データ２２ａとの色差が最も小さくなる刷版カーブを採用するものであってもよい。
図６は、この方法で使用する刷版カーブを適用後の対象データ４３を説明するための図である。テーブル４０は、刷版カーブ適用前の印刷データ２３ａのＣＭＹＫ値である。
【００３１】
制御部１０は、予め用意した複数の異なる刷版カーブから選択した１つの刷版カーブを、テーブル４０に適用し（＃１）、テーブル４１を得る。テーブル４１は、対象データのＣＭＹＫ値である。そして、制御部１０は、印刷データ２３ａのＬａｂ値を使用して、補間計算によりテーブル４１に対応するＬａｂ値を求め（＃２）、テーブル４２を得る。対象データ４３は、このテーブル４１及びテーブル４２が示すデータである。
次に、制御部１０は、対象データ４３のＬａｂ値であるテーブル４２と、色基準データ２２ａのＬａｂ値との差の大きさ（色差）であるΔＥに、重要度ｗを乗じた値が最小になる刷版カーブを採用する。
【００３２】
図５に戻り、Ｓ１６において、制御部１０（記憶処理部１６）は、上述の処理によって算出された刷版カーブ２５ａを、刷版カーブ記憶部２５に記憶する。
図７は、算出された刷版カーブ２５ａの例を示す。
図７（Ａ）は、補正前のＣＭＹＫ値の網点面積率を横軸とし、補正後のＣＭＹＫ値の網点面積率を縦軸として表した刷版カーブ２５ａである。補正前のＣＭＹＫ値は、印刷機等で指定する指定値である。また、補正後のＣＭＹＫ値は、印刷機等で実際に印刷する際の値である。例えば、入力により５０％の網点面積率の指定がされていたら、印刷機では、この刷版カーブ２５ａを適用することで、４０％の網点面積率の指定で印刷する、ということを示す。
図７（Ｂ）は、図７（Ａ）に示す刷版カーブ２５ａを、補正前のＣＭＹＫ値を横軸とし、補正量を縦軸として表したものである。補正量は、補正後の網点面積率から補正前の網点面積率を引いた値である。このようにすることで、図７（Ａ）のように、ＣＭＹＫの各値が重なり合って見づらい刷版カーブ２５ａを、見やすいように表現できる。
図５に戻り、その後、制御部１０は、本処理を終了する。
【００３３】
このように、本実施形態の刷版カーブ作成装置１によれば、以下のような効果がある。
（１）ＣＭＹＫ値をＬａｂ値で表す色基準データ２２ａ及び印刷データ２３ａを用いて、印刷データ２３ａに刷版カーブを適用後の対象データと、色基準データ２２ａとが近似する刷版カーブ２５ａを算出できる。よって、この刷版カーブ２５ａを対象の印刷機での印刷の際に適用することで、オフセット印刷による印刷物の色調を、特定の色基準の色調に近似させることができる。
（２）印刷データ２３ａに刷版カーブを適用後の対象データと、色基準データ２２ａとが近似する刷版カーブ２５ａを、対象データと、色基準データ２２ａとの差分である色差の加重平均値が最小になるものとして算出する。よって、コンピュータによる数値計算によって、刷版カーブ２５ａを求めることができる。
（３）重み付けを付加することで、重要度ｗが大きい色調がより近似するように刷版カーブを算出できる。よって、求められる色がより近似する刷版カーブを算出できる。
（４）Ｌａｂ値の差分が最小になるように刷版カーブ２５ａを算出するため、人の見た目を重視した刷版カーブ２５ａを採用できる。
【００３４】
以上、本発明の実施形態について説明したが、本発明は上述した実施形態に限定されるものではない。また、実施形態に記載した効果は、本発明から生じる最も好適な効果を列挙したに過ぎず、本発明による効果は、実施形態に記載したものに限定されない。なお、上述した実施形態及び後述する変形形態は、適宜組み合わせて用いることもできるが、詳細な説明は省略する。
【００３５】
（変形形態）
（１）本実施形態では、ＣＭＹＫ値は０％から１０％の増加量で１００％までのものを用いたが、これに限定されない。例えば、２０％ずつ増やして１００％までのものにしてもよい。但し、増加量が少ないほど、より精緻に刷版カーブの評価ができるため、色の差が少ないものにできる。
（２）本実施形態では、共役勾配法を用いて評価関数が最小になる刷版カーブを算出するものを例に説明したが、これに限定されない。他の方法を用いてもよい。また、評価関数が最小になる刷版カーブの算出として、色差の加重平均値を用いたが、これに限定されない。
【符号の説明】
【００３６】
１    刷版カーブ作成装置
１０  制御部
１１  色基準データ受付部
１２  印刷データ受付部
１３  補間処理部
１４  重み付けデータ受付部
１５  刷版カーブ算出部
１６  記憶処理部
２０  記憶部
２１ａ  刷版カーブ作成プログラム
２２ａ  色基準データ
２３ａ  印刷データ
２４ａ  重み付けデータ
２５ａ  刷版データ
【図１】
2018093269.tif 000007
【図２】
2018093269.tif 000008
【図３】
2018093269.tif 000009
【図４】
2018093269.tif 000010
【図５】
2018093269.tif 000011
【図６】
2018093269.tif 000012
【図７】
2018093269.tif 000013